(57)【要約】【課題】配線が接続される状態を確認可能とした設備機器を提供する。【解決手段】設備機器である浴室換気乾燥暖房機１Ａは、電気部品を有した本体部３と、本体部３に取り付けられ、外部からの配線２００が接続される端子台１３を備える。端子台１３は、外部からの配線２００の芯線が所定の位置まで挿入されたか否かを判断する確認窓部１３ｂが側方から視認可能な向きで、本体部１０の側面側に取り付けられる。【選択図】    図１
2015210889.tif 000002
【特許請求の範囲】
【請求項１】
電気部品を有した本体部と、
前記本体部に取り付けられ、外部からの配線が接続される端子台とを備え、
外部からの前記配線の芯線が前記端子台に所定の位置まで挿入されたか否かを確認可能な接続状況確認手段を前記端子台に備えた
ことを特徴とする設備機器。
【請求項２】
前記接続状況確認手段が、前記本体部の側方を向くように前記端子台が前記本体部に取り付けられる
ことを特徴とする請求項１に記載の設備機器。
【請求項３】
前記接続状況確認手段は、前記端子台に所定の位置まで挿入された前記芯線が視認可能な窓部で構成される
ことを特徴とする請求項１または２に記載の設備機器。
【請求項４】
空気が通るダクトが接続されるダクト接続部が取り付けられる前記本体部の一の側面側に、前記接続状況確認手段を前記本体部の側方に向けて前記端子台が取り付けられる
ことを特徴とする請求項１〜請求項３のいずれか１項に記載の設備機器。
【請求項５】
前記端子台は、前記本体部の設置場所に設けられる点検口から前記接続状況確認手段が視認可能な位置に取り付け可能とした
ことを特徴とする請求項１〜請求項４のいずれか１項に記載の設備機器。
【発明の詳細な説明】
【技術分野】
【０００１】
本発明は、建物に設置され、外部より電気配線が接続される設備機器に関する。
【背景技術】
【０００２】
従来から、住宅等の建物に、空調装置や換気扇等の設備機器が配置される。例えば、浴室の天井には、浴室の暖房や換気等を行う浴室換気乾燥暖房機が設置されている。
【０００３】
浴室換気乾燥暖房機は、空気の吸込口や吹出口が形成されたフロントパネルは浴室の天井に露出させ、ファン等が実装された本体部は、天井に形成した開口部から天井裏の空間に入り込ませる形態で、浴室の天井に設置される。
【０００４】
このような浴室換気乾燥暖房機等の設備機器では、電源線等の配線を接続する端子台が備えられている。例えば、浴室換気乾燥暖房機では、端子台は筐体の上部に備えられる（例えば、特許文献１参照）。
【先行技術文献】
【特許文献】
【０００５】
【特許文献１】特開２００１−２５４９８２号公報
【発明の概要】
【発明が解決しようとする課題】
【０００６】
設備機器に対する外部からの配線の接続作業は、所定の長さで芯線が露出するように被覆を除去し、芯線を端子台に挿入することで行われる。
【０００７】
しかし、芯線を露出させる長さが不足して、確実な接続ができていない状態であっても、芯線の接続状況を確認することができなかった。
【０００８】
浴室換気乾燥暖房機等の設備機器は、天井裏の高さが低い場所に設置される場合がある。一方、電源線等、設備機器に対する外部よりの電気配線の接続作業は、天井に備えられた点検口から行われる場合が多い。高さが低い場所に設置される設備機器に対して点検口から電気配線の接続作業をするような場合、芯線の接続状況を確認するのは困難である。
【０００９】
本発明は、このような課題を解決するためになされたもので、配線が接続される状態を確認可能とした設備機器を提供することを目的とする。
【課題を解決するための手段】
【００１０】
上述した課題を解決するため、本発明は、電気部品を有した本体部と、本体部に取り付けられ、外部からの配線が接続される端子台とを備え、外部からの配線の芯線が端子台に所定の位置まで挿入されたか否かを確認可能な接続状況確認手段を端子台に備えた設備機器である。
【００１１】
本発明では、配線の芯線が端子台に所定の位置まで挿入されたか否かを確認可能である。
【発明の効果】
【００１２】
本発明によれば、外部からの配線を接続する工程で、配線の芯線が端子台に所定の位置まで挿入されたか否かを確認可能であるので、確実に配線が行われているか否かを判断でき、配線作業のミスを低減することができる。
【図面の簡単な説明】
【００１３】
【図１】本実施の形態の浴室換気乾燥暖房機の一例を示す斜視図である。
【図２】本実施の形態の浴室換気乾燥暖房機の一例を示す斜視図である。
【図３】本実施の形態の浴室換気乾燥暖房機の設置例を示す構成図である。
【図４】端子台の構成例を示す平面図である。
【図５】端子台の構成例を示す斜視図である。
【図６】端子台カバーが取り付けられた端子台の構成例を示す平面図である。
【図７】本実施の形態の浴室換気乾燥暖房機の設置例を示す斜視図である。
【図８】本実施の形態の浴室換気乾燥暖房機の設置例を示す斜視図である。
【図９】本実施の形態の浴室換気乾燥暖房機の変形例を示す斜視図である。
【図１０】本実施の形態の浴室換気乾燥暖房機の変形例を示す斜視図である。
【図１１】本実施の形態の浴室換気乾燥暖房機の変形例を示す斜視図である。
【図１２】本実施の形態の浴室換気乾燥暖房機の変形例を示す斜視図である。
【図１３】本実施の形態の浴室換気乾燥暖房機の変形例を示す斜視図である。
【図１４】本実施の形態の浴室換気乾燥暖房機の変形例を示す斜視図である。
【図１５】本実施の形態の浴室換気乾燥暖房機の変形例を示す斜視図である。
【図１６】本実施の形態の浴室換気乾燥暖房機の変形例を示す斜視図である。
【図１７】本実施の形態の浴室換気乾燥暖房機の他の設置例を示す斜視図である。
【図１８】本実施の形態の浴室換気乾燥暖房機の他の設置例を示す斜視図である。
【図１９】端子台の取付角度の一例を示す構成図である。
【発明を実施するための形態】
【００１４】
以下、図面を参照して、本発明の設備機器としての空調装置の一例である浴室換気乾燥暖房機の実施の形態について説明する。
【００１５】
＜本実施の形態の浴室換気乾燥暖房機の構成例＞
図１及び図２は、本実施の形態の浴室換気乾燥暖房機の一例を示す斜視図、図３は、本実施の形態の浴室換気乾燥暖房機の設置例を示す構成図である。
【００１６】
本実施の形態の浴室換気乾燥暖房機１Ａは、図３に示すように、浴室１００の天井１０１に取り付けられる。浴室１００の天井１０１には、浴室換気乾燥暖房機１Ａが取り付けられる開口部１０２が設けられる。また、浴室１００の天井１０１には、蓋部１０３ａの脱着で開閉し、浴室換気乾燥暖房機１Ａの設置作業や点検等で使用される点検口１０３が設けられる。なお、開口部１０２と点検口１０３の位置は、浴室１００の構造から予め決められている場合が多い。
【００１７】
浴室換気乾燥暖房機１Ａは、図示しないファンとヒータ等の電気部品が設けられた本体部１０を備える。浴室換気乾燥暖房機１Ａは、図示しないファンとヒータ等の電気部品を制御して、浴室１００内の空気を吸い込んで排気することで、浴室１００等の換気を行う換気運転機能を備える。また、浴室１００内の空気を吸い込み、ヒータにより加熱された空気を浴室１００内に吹き出すことで、浴室１００の暖房を行う暖房運転機能を備える。
【００１８】
更に、浴室１００内から吸い込んだ空気の一部をヒータにより加熱して浴室１００内に吹き出し、残部を排気することで、浴室１００にある被乾燥物や浴室１００内の乾燥を行う乾燥運転機能を備える。また、浴室１００内の空気を吸い込み、室温に応じた空気を浴室１００内に吹き出す涼風運転機能を備える。なお、浴室１００から吸い込んだ空気を循環のみさせる運転と、排気のみさせる運転と、循環及び排気を組み合わせる運転は、上述の例に限るものではない。
【００１９】
浴室換気乾燥暖房機１Ａは、天井１０１の開口部１０２から本体部１０が天井裏の空間１０１ａに入れられる形態で、浴室１００の天井１０１に取り付けられる。また、浴室換気乾燥暖房機１Ａは、空気の吸込口及び吹出口が設けられたフロントパネル１１を備える。フロントパネル１１は、浴室１００の天井１０１に露出される形態で本体部１０の下側に取り付けられる。
【００２０】
浴室換気乾燥暖房機１Ａは、本体部１０の一の側面１０ａにダクト接続部１２を備える。ダクト接続部１２は、本体部１０の一の側面１０ａから側方へ突出する形態で取り付けられる。浴室換気乾燥暖房機１Ａは、ダクト接続部１２にダクト１０４が接続される。ダクト１０４は、本例では浴室１００内の空気を排出する排気ダクトであり、浴室１００が設置される建物の構造等によって配管経路が決められる。
【００２１】
浴室１００は、浴槽１０５側の天井１０１に浴室換気乾燥暖房機１Ａが取り付けられる開口部１０２が設けられ、洗い場１０６側の天井１０１に点検口１０３が設けられる。浴室換気乾燥暖房機１Ａは、本例では、ダクト接続部１２が点検口１０３を向く側として、天井１０１に取り付けられる。
【００２２】
浴室換気乾燥暖房機１Ａは、外部からの配線２００が接続される端子台１３と、端子台１３を覆う端子台カバー１４を備える。ここで、図１は、端子台カバー１４を取り外した状態を示し、図２は、端子台カバー１４を取り付けた状態を示す。
【００２３】
図４は、端子台の構成例を示す平面図、図５は、端子台の構成例を示す斜視図、図６は、端子台カバーが取り付けられた端子台の構成例を示す平面図である。端子台１３は、配線２００の芯線２００ａが挿入される配線接続穴部１３ａを備え、配線接続穴部１３ａに挿入された芯線２００ａが、着脱可能に固定される構成である。端子台１３は、芯線２００ａが固定される所定の位置まで挿入されたことを確認するための確認窓部１３ｂを備える。
【００２４】
確認窓部１３ｂは接続状況確認手段の一例で、所定の長さで被覆が除去された芯線２００ａが、配線接続穴部１３ａの規定の位置まで挿入されたときに、芯線２００ａの先端が視認できる位置に開口を設けて構成される。
【００２５】
浴室換気乾燥暖房機１Ａを浴室１００に設置する作業で、配線２００を端子台１３に接続する作業では、確認窓部１３ｂで芯線２００ａを視認できる場合は、芯線２００ａが規定の位置まで挿入されていることを認識できる。一方、確認窓部１３ｂで芯線２００ａを視認できない場合は、芯線２００ａが規定の位置まで挿入されていないことを認識できる。
【００２６】
端子台１３は、本体部１０内から引き出された内部配線２０１が接続される。端子台１３と内部配線２０１は、浴室換気乾燥暖房機１Ａの製造工程で接続され、浴室換気乾燥暖房機１Ａの設置時に接続されるものではない。なお、端子台１３は、接続した配線２００を取り外すことができるようにするための配線取り外し操作部１３ｃを備える。端子台１３は、配線取り外し操作部１３ｃを押すことで、配線２００の芯線２００ａが配線接続穴部１３ａから抜き取ることが可能な構成である。
【００２７】
端子台１３は、確認窓部１３ｂの視認方向が本体部１０の側方からとなるように、確認窓部１３ｂを横向きとして本体部１０に取り付けられる。端子台１３は、本例では、本体部１０の側面に突出する形態で取り付けられる。
【００２８】
端子台１３の取り付けは、ネジ等の締結手段を用いて行われる。そして、端子台１３は、本例では、ダクト接続部１２が取り付けられている本体部１０の一の側面１０ａに、図示しないネジで固定される。
【００２９】
端子台カバー１４は、本体部１０に取り付けられた状態で、端子台１３において、配線２００が引き出される側以外の部位を覆う形状を有する。端子台カバー１４は、本例では金属の板材で構成され、埃、水分、熱等から端子台１３を保護する。端子台カバー１４は、図６に示すように、端子台１３を覆うように取り付けた状態で、端子台１３の確認窓部１３ｂの視認及び配線取り外し操作部１３ｃの操作ができるようにするため、確認窓部１３ｂ及び配線取り外し操作部１３ｃに対向する位置に開口部１４ａが設けられる。
【００３０】
＜本実施の形態の浴室換気乾燥暖房機の設置例＞
図７及び図８は、本実施の形態の浴室換気乾燥暖房機の設置例を示す斜視図で、次に、各図を参照して、本実施の形態の浴室換気乾燥暖房機１Ａを設置する工程について説明する。
【００３１】
浴室１００の天井１０１には、浴室換気乾燥暖房機１Ａの設置場所に合わせて開口部１０２が形成され、開口部１０２に沿って枠部１０７が取り付けられる。開口部１０２の大きさは、本体部１０に合わせられる。
【００３２】
浴室換気乾燥暖房機１Ａは、ダクト接続部１２が本体部１０から突出した形態である。このため、ダクト接続部１２が開口部１０２に入るように本体部１０を傾けた状態として、本体部１０を開口部１０２に挿入した後、本体部１０を水平な向きとして、天井１０１に固定する。
【００３３】
これにより、ダクト接続部１２が本体部１０から突出する側の空間に端子台１３を備えることで、端子台１３が本体部１０の設置作業の妨げになることはない。本例では、端子台１３を本体部１０の側面に設ける構成で、端子台１３をダクト接続部１２が取り付けられている面と同じ側面１０ａに設ける構成とする。
【００３４】
よって、浴室換気乾燥暖房機１Ａは、ダクト接続部１２及び端子台１３と、端子台１３を覆う端子台カバー１４が本体部１０の一の側面１０ａから突出した形態である。そこで、図７に示すように、ダクト接続部１２、端子台１３及び端子台カバー１４が開口部１０２に入るように本体部１０を傾けた状態として、本体部１０を開口部１０２に挿入した後、本体部１０を水平な向きとして、天井１０１に固定する。
【００３５】
浴室換気乾燥暖房機１Ａの設置場所には、枠部１０７が設けられる構成で、枠部１０７に当接しないようにダクト接続部１２が設けられる。このため、本例では、ダクト接続部１２が取り付けられている面と同じ側面１０ａであって、ダクト接続部１２の高さ方向、ダクト接続部１２の断面形状が円形であるので直径方向に沿った空間に収まる位置に端子台１３及び端子台カバー１４が取り付けられる。
【００３６】
これにより、本体部１０の側面から突出する形態で取り付けられる端子台１３及び端子台カバー１４が、本体部１０の設置作業の妨げになることはない。端子台１３が本体部１０の側面に取り付けられることで、端子台１３を本体部１０の上面に取り付ける場合と比較して、高さ方向の寸法の増加を抑えることができる。
【００３７】
更に、端子台１３が本体部１０の側面から突出する形態で取り付けられることで、端子台１３を本体部１０の側面に埋め込むような形態で取り付ける場合と比較して、本体部１０内に突出する部位を設ける必要がない。よって、ファンの大径化等、本体部１０内の空間を有効に活用することができる。
【００３８】
浴室換気乾燥暖房機１Ａは、本体部１０が浴室１００の天井１０１に取り付けられると、図８に示すように、端子台１３の確認窓部１３ｂが点検口１０３側を向く。浴室換気乾燥暖房機１Ａの本体部１０が設置される天井裏の空間１０１ａは高さ方向の寸法が狭いが、点検口１０３からのぞくことで、点検口１０３に面した側の本体部１０の側面１０ａを見ることができる。
【００３９】
端子台１３は、確認窓部１３ｂの視認方向が本体部１０の側方からとなるように、確認窓部１３ｂを横向きとして本体部１０の一の側面１０ａに取り付けられる。
【００４０】
これにより、作業者が点検口１０３から手を入れて配線２００を接続する作業で、点検口１０３から確認窓部１３ｂを視認しながら、配線２００の芯線２００ａを配線接続穴部１３ａに挿入して、所定の位置まで挿入されたか否かを確認できる。
【００４１】
確認窓部１３ｂの視認方向が本体部１０の上方からとなるような向きで端子台１３が本体部１０の上面に取り付けられた構成では、天井裏の空間１０１ａの高さ方向の寸法が狭い場合があり、本体部１０を天井１０１に設置した状態で、確認窓部１３ｂを視認することができない。
【００４２】
このため、配線２００の被覆部分が端子台１３に当たるような位置まで挿入できたことを確認していた。しかし、被覆を除いた部分の芯線２００ａの長さが不十分であると、芯線２００ａが所定の位置まで挿入されず、確実な接続が行われていない状態となるが、この状態を確認することができなかった。
【００４３】
これに対して、本実施の形態では、本体部１０を天井１０１に設置した状態で、点検口１０３から端子台１３の確認窓部１３ｂを視認することが可能なので、芯線２００ａが所定の位置まで挿入されたか否かを確認できる。
【００４４】
これにより、本体部１０を天井１０１に設置した状態で、確実な接続が行われている状態であるか、確実な接続が行われていない状態であるかを確認することができる。本例では、端子台１３を覆うように端子台カバー１４が取り付けた状態で、端子台カバー１４の開口部１４ａを通して端子台１３の確認窓部１３ｂの視認が可能である。また、配線取り外し操作部１３ｃの操作が可能である。これにより、浴室換気乾燥暖房機１Ａの設置作業で、端子台カバー１４を取り外すことなく、確認窓部１３ｂを使用して配線２００の芯線２００ａが所定の位置まで挿入されたか否かを確認できる。また、配線取り外し操作部１３ｃの操作で配線２００の取り外しも可能である。
【００４５】
＜本実施の形態の浴室換気乾燥暖房機の変形例＞
図９〜図１６は、本実施の形態の浴室換気乾燥暖房機の変形例を示す斜視図である。図９及び図１０に示す変形例では、本体部１０の一の側面１０ａに凹部１０ｂを備え、凹部１０ｂに端子台１３を備える。図９は、端子台カバー１４を取り外した状態を示し、図１０は、端子台カバー１４を取り付けた状態を示す。
【００４６】
本体部１０内に空間がある場合は、空間に入り込むような凹部１０ｂを設け、凹部１０ｂに、確認窓部１３ｂの視認方向が本体部１０の側方からとなるように、確認窓部１３ｂを横向きとして端子台１３を固定する。また、端子台カバー１４は、凹部１０ｂに収まるような形状で端子台１３を覆う。
【００４７】
これにより、端子台１３及び端子台カバー１４が本体部１０の側面１０ａから突出しない形態とすることができ、ダクト接続部１２が取り付けられる面と異なる側面に端子台１３を設けることが可能となるので、端子台１３の配置の自由度が向上する。また、端子台カバー１４を取り外すことなく、浴室換気乾燥暖房機１Ａの設置作業が可能で、端子台カバー１４の開口部１４ａから確認窓部１３ｂを使用して配線２００の芯線２００ａが所定の位置まで挿入されたか否かを確認できる。また、配線取り外し操作部１３ｃの操作で配線２００の取り外しも可能である。
【００４８】
図１１及び図１２に示す変形例では、本体部１０の上面に凹凸形状がある場合、凹部１０ｃに端子台１３を備える。端子台１３は、確認窓部１３ｂの視認方向が本体部１０の側方からとなるように、確認窓部１３ｂを横向きとして、本体部１０の上面の凹部１０ｃに取り付けられる。図１１は、端子台カバー１４を取り外した状態を示し、図１２は、端子台カバー１４を取り付けた状態を示す。端子台カバー１４は、本体部１０の側面１０ａ及び上面１０ｄから突出しない形状で端子台１３を覆う。
【００４９】
これにより、端子台１３及び端子台カバー１４が本体部１０の側面１０ａ及び上面１０ｄから突出しない形態とすることができ、ダクト接続部１２が取り付けられる面と異なる側面に端子台１３を設けることが可能となるので、端子台１３の配置の自由度が向上する。また、端子台１３を本体部１０の上面１０ｄに取り付ける場合と比較して、高さ方向の寸法の増加を抑えることができる。更に、端子台カバー１４を取り外すことなく、浴室換気乾燥暖房機１Ａの設置作業が可能で、端子台カバー１４の開口部１４ａから確認窓部１３ｂを使用して配線２００の芯線２００ａが所定の位置まで挿入されたか否かを確認できる。また、配線取り外し操作部１３ｃの操作で配線２００の取り外しも可能である。
【００５０】
図１３及び図１４に示す変形例では、本体部１０の上面に設けられた凹部１０ｃに、側面１０ａに対して傾斜させて端子台１３を備える。端子台１３は、確認窓部１３ｂの視認方向が本体部１０の側方からとなるように、確認窓部１３ｂを側面１０ａに対して所定の角度傾斜させた横向きとして、本体部１０の上面の凹部１０ｃに取り付けられる。本例では、側面１０ａに対して４５°程度傾斜させて、端子台１３が取り付けられる。図１３は、端子台カバー１４を取り外した状態を示し、図１４は、端子台カバー１４を取り付けた状態を示す。端子台カバー１４は、本体部１０の側面１０ａ、１０ｅ及び上面１０ｄから突出しない形状で端子台１３を覆う。
【００５１】
これにより、端子台１３の確認窓部１３ｂを、一の側面１０ａ側と他の側面１０ｅ側の何れかからも視認することができるようになり、図３に示す点検口１０３に対して、本体部１０を設置する向きの制約を低減させることができる。また、端子台カバー１４を取り外すことなく、浴室換気乾燥暖房機１Ａの設置作業が可能で、端子台カバー１４の開口部１４ａから確認窓部１３ｂを使用して配線２００の芯線２００ａが所定の位置まで挿入されたか否かを確認できる。更に、配線取り外し操作部１３ｃの操作で配線２００の取り外しも可能である。
【００５２】
図１５及び図１６に示す変形例では、本体部１０の上面に設けられた凹部１０ｃに端子台１３を備えると共に、凹部１０ｃの複数個所に端子台１３の取付部１５を備える。本例では、本体部１０の一の側面１０ａに面した側と、反対側の他の側面１０ｆに面した側に、図示しないネジによる取付部１５を備える。図１５は、端子台カバー１４を取り外した状態を示し、図１６は、端子台カバー１４を取り付けた状態を示す。端子台カバー１４は、本体部１０の側面１０ａ及び上面１０ｄから突出しない形状で端子台１３を覆う。
【００５３】
これにより、何れかの取付部１５に端子台１３及び端子台カバー１４を予め固定しておくことで、端子台１３の確認窓部１３ｂを、一の側面１０ａ側あるいは他の側面１０ｆ側の何れかから視認することができるようになり、図３に示す点検口１０３に対して、本体部１０を設置する向きの制約を低減させることができる。また、端子台カバー１４を取り外すことなく、浴室換気乾燥暖房機１Ａの設置作業が可能で、端子台カバー１４の開口部１４ａから確認窓部１３ｂを使用して配線２００の芯線２００ａが所定の位置まで挿入されたか否かを確認できる。更に、配線取り外し操作部１３ｃの操作で配線２００の取り外しも可能である。
【００５４】
図１７及び図１８は、本実施の形態の浴室換気乾燥暖房機の他の設置例を示す斜視図である。図１７及び図１８に示す設置例では、天井１０１に先にダクト接続部１６が取り付けられる例である。
【００５５】
図１７に示す例では、本体部１０の側面に端子台１３を備える構成であって、本体部１０に取り付けられているダクト接続部１２とは別にダクト接続部１６を備える構成とすることができ、例えば、脱衣所やトイレ等の他室から空気を吸い込む副吸込み口を有する浴室換気乾燥暖房機１Ａに適用可能である。
【００５６】
図１８に示す例では、本体部１０の側面に端子台１３を備える構成であって、ダクト接続部１６が取り付けられる面とは異なる側面に端子台１３を備える構成とすることができ、図３に示す点検口１０３に対して、本体部１０を設置する向きの制約や、ダクト１０４の配管経路の制約を低減することが可能である。
【００５７】
図１９は、端子台の取付角度の一例を示す構成図である。本体部１０の側面等に、確認窓部１３ｂの視認方向が本体部１０の側方からとなるように、確認窓部１３ｂを横向きとして端子台１３を取り付ける構成では、下向きに傾斜させる角度α１が３０°程度、上向きに傾斜させる角度α２が１０°程度、端子台１３を上下方向に傾斜させて取り付けても良い。
【００５８】
これにより、本体部１０と図３に示す点検口１０３の高さの関係、端子台１３が取り付けられる高さの関係等に応じて、確認窓部１３ｂの視認がよりし易い向きに端子台１３を固定することができる。
【００５９】
なお、上述した各実施の形態では、端子台１３に対して配線２００が左側から挿入される向きで端子台１３が固定されることとしたが、配線２００の接続される向きが右側、上側、あるいは下側からとなるように、端子台１３の向きが設定されても良い。
【００６０】
また、接続状況確認手段として端子台１３に芯線２００ａの先端が視認できる位置に開口を設けた確認窓部１３ｂを備える構成としたが、芯線２００ａの先端が視認できる位置をプラスティックのような透明な樹脂で覆っても良く、芯線の挿抜で作動し、芯線が所定の位置まで挿入されることで色が変わる機構、ランプ、部材が突出する機構等を備える構成としても良い。
【００６１】
本実施の形態の形態では、設備機器として浴室換気乾燥暖房機を例に説明したが、少なくとも換気機能または暖房機能の何れかを有する空調装置であっても良い。
【産業上の利用可能性】
【００６２】
本発明は、住宅等の建物の天井に設置される設備機器に適用される。
【符号の説明】
【００６３】
１Ａ・・・浴室換気乾燥暖房機、１０・・・本体部、１１・・・フロントパネル、１２・・・ダクト接続部、１３・・・端子台、１３ａ・・・配線接続穴部、１３ｂ・・・確認窓部、１３ｃ・・・配線取り外し操作部、１４・・・端子台カバー、１４ａ・・・開口部、１００・・・浴室、１０１・・・天井、１０２・・・開口部、１０３・・・点検口、１０３ａ・・・蓋部、１０４・・・ダクト、１０５・・・浴槽、１０６・・・洗い場、２００・・・配線、２００ａ・・・芯線、２０１・・・内部配線
【図１】
2015210889.tif 000003
【図２】
2015210889.tif 000004
【図３】
2015210889.tif 000005
【図４】
2015210889.tif 000006
【図５】
2015210889.tif 000007
【図６】
2015210889.tif 000008
【図７】
2015210889.tif 000009
【図８】
2015210889.tif 000010
【図９】
2015210889.tif 000011
【図１０】
2015210889.tif 000012
【図１１】
2015210889.tif 000013
【図１２】
2015210889.tif 000014
【図１３】
2015210889.tif 000015
【図１４】
2015210889.tif 000016
【図１５】
2015210889.tif 000017
【図１６】
2015210889.tif 000018
【図１７】
2015210889.tif 000019
【図１８】
2015210889.tif 000020
【図１９】
2015210889.tif 000021